(57)【要約】      （修正有）【課題】複数の孔が形成されることにより異なる固定方式が行われるセンサーライトのベースを提供する。【解決手段】一体形成の上部１１と下部１２とを有するセンサーライトのベースであって、上部１１後側の両側に夫々貫通孔１４を有する平面部１３が設けられ、平面部１３の外側に複数の貫通孔１６を有する外斜面１５が形成されると共に、平面部１３同士の間に複数の孔１８を有する内斜面１７が形成され、該内斜面１７の上、下部に切欠部１９が形成されると共に、外斜面１５に内斜面１７の切欠部１９に対応する掛止孔２０、２１が形成され、又、上部１１の上、下側に互いに対応する掛止孔２２、２３が形成されることを特徴とするセンサーライトのベース。【選択図】図2
0003103448.tif 000002
【実用新案登録請求の範囲】
【請求項１】
一体形成の上部（１１）と下部（１２）とを有するセンサーライトのベース（１０）であって、 
上部（１１）後側の両側に夫々貫通孔（１４）を有する平面部（１３）が設けられ、平面部（１３）の外側に複数の貫通孔（１６）を有する外斜面（１５）が形成されると共に、平面部（１３）同士の間に複数の孔（１８）を有する内斜面（１７）が形成され、該内斜面（１７）の上、下部に切欠部（１９）が形成されると共に、外斜面（１５）に内斜面（１７）の切欠部（１９）に対応する掛止孔（２０）（２１）が形成され、又、上部（１１）の上、下側に互いに対応する掛止孔（２２）（２３）が形成されることを特徴とするセンサーライトのベース。
【請求項２】
前記ベース（１０）はネジなどの固定部材（３０）が貫通孔（１４）（１６）又は孔（１８）を貫通することにより固定することを特徴とする請求項１に記載のセンサーライトのベース。
【請求項３】
前記ベース（１０）は糸、紐などの掛止帯（５０）が掛止孔（２０）（２１）と切欠部（１９）又は掛止孔（２２）（２３）を貫通することにより固定することを特徴とする請求項１に記載のセンサーライトのベース。
【考案の詳細な説明】
【技術分野】
【０００１】
本考案は、特に複数の孔が形成されることにより異なる固定方式が行われるセンサーライトのベースに関するものである。
【背景技術】
【０００２】
センサーヘッドと照明部を有し、センサーヘッドによって物体を感知する際、照明部が一定の時間に照明を行うことができるセンサーライトは撮影又は盗難防止のために良く使用されている。
【０００３】
従来のセンサーライトは掛止孔を有するプレート状のベースが設けられることにより、センサーライトを壁面に掛止することができる。
【考案の開示】
【考案が解決しようとする課題】
【０００４】
しかし、上記センサーライトのベースは単に壁面に掛止する効果を提供しかなく、二つ壁面や壁角や掛けロッドに掛止することができないので、使用上非常に不便である。
【０００５】
そこで、案出されたのが本考案であって、複数の孔が形成されることにより異なる固定方式が行われるセンサーライトのベースを提供することを目的としている。
【課題を解決するための手段】
【０００６】
本願の請求項１の考案は、一体形成の上部（１１）と下部（１２）とを有するセンサーライトのベース（１０）であって、上部（１１）後側の両側に夫々貫通孔（１４）を有する平面部（１３）が設けられ、平面部（１３）の外側に複数の貫通孔（１６）を有する外斜面（１５）が形成されると共に、平面部（１３）同士の間に複数の孔（１８）を有する内斜面（１７）が形成され、該内斜面（１７）の上、下部に切欠部（１９）が形成されると共に、外斜面（１５）に内斜面（１７）の切欠部（１９）に対応する掛止孔（２０）（２１）が形成され、又、上部（１１）の上、下側に互いに対応する掛止孔（２２）（２３）が形成されることを特徴とするセンサーライトのベース及び、
本願の請求項２の考案は、前記ベース（１０）はネジなどの固定部材（３０）が貫通孔（１４）（１６）又は孔（１８）を貫通することにより固定することを特徴とする請求項１に記載のセンサーライトのベース及び、
本願の請求項３の考案は、前記ベース（１０）は糸、紐などの掛止帯（５０）が掛止孔（２０）（２１）と切欠部（１９）又は掛止孔（２２）（２３）を貫通することにより固定することを特徴とする請求項１に記載のセンサーライトのベース、を提供する。
【考案の効果】
【０００７】
本考案は上記の課題を解決するものであり、ベースに複数の孔を有する平面部、内斜面及び外斜面が設けられ、ネジなどの固定部材により、一般の壁面や、壁角の内側又は外側に設置する、或いは糸、紐などの掛止帯により、掛けロッドにセンサーライトを固定することができ、使用の利便性を高める。
【考案を実施するための最良の形態】
【０００８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００９】
図１は本考案に係るセンサーライトのベースと本体を示す斜視図であり、図２は本考案に係るセンサーライトのベースと本体を示す分解斜視図であり、図３は本考案に係るセンサーライトのベースと本体の組合せる状態を示す斜視図であり、図４は本考案に係るセンサーライトのベースを壁面に掛止する状態を示す一部断面図であり、図５は本考案に係るセンサーライトのベースを二つ壁面の間に掛止する状態を示す一部断面図であり、図６は本考案に係るセンサーライトのベースを壁角に掛止する状態を示す一部断面図であり、図７は本考案に係るセンサーライトのベースを縦向の掛けロッドに掛止する状態を示す一部断面図であり、図８は本考案に係るセンサーライトのベースを横向の掛けロッドに掛止する状態を示す一部断面図である。
【００１０】
図１乃至図３に示すように、本考案に係るセンサーライトのベース（１０）は一体形成の上部（１１）と下部（１２）とを有し、上部（１１）後側の両側に夫々貫通孔（１４）を有する平面部（１３）が設けられ、ネジなどの固定部材（３０）が貫通孔（１４）を貫通することにより、ベース（１０）を壁面（４０）に掛止することができる（図４を参照する）。
【００１１】
前記ベース（１０）における平面部（１３）の外側に複数の貫通孔（１６）を有する外斜面（１５）が形成され、ネジなどの固定部材（３０）が貫通孔（１６）を貫通することにより、ベース（１０）を壁角（４１）の両側における壁面に掛止することができる（図５を参照する）。
【００１２】
又、前記ベース（１０）における平面部（１３）同士の間に複数の孔（１８）を有する内斜面（１７）が形成され、ネジなどの固定部材（３０）が孔（１８）を貫通することにより、ベース（１０）を壁角（４１）に掛止することができる（図６を参照する）。
【００１３】
前記ベース（１０）における内斜面（１７）の上、下部に切欠部（１９）が形成されると共に、外斜面（１５）に内斜面（１７）の切欠部（１９）に対応する掛止孔（２０）（２１）が形成され、糸、紐などの掛止帯（５０）が掛止孔（２０）（２１）と切欠部（１９）を貫通することにより、ベース（１０）を縦向の掛けロッド（５１）に掛止することができる（図８を参照する）。
【００１４】
又、前記ベース（１０）における上部（１１）の上、下側に互いに対応する掛止孔（２２）（２３）が形成され、糸、紐などの掛止帯（５０）が掛止孔（２２）（２３）を貫通することにより、ベース（１０）を横向の掛けロッド（５０）に掛止することができる（図７を参照する）。
【００１５】
又、図２に示すように、本考案に係るベース（１０）はネジなどの固定部材（６０）が下部（１２）を貫通することによりセンサーライトの本体（７０）と連結され、該本体（７０）の前側の下部と上部に夫々センサーヘッド（７１）と照明部（７２）が設けられることにより、センサーヘッド（７１）によって物体を感知する際、照明部（７２）が一定の時間に照明を行うことができる。
【００１６】
図４乃至図８に示すように、本考案に係るセンサーライトのベースによれば、センサーライトはネジなどの固定部材（３０）により、一般の壁面（４０）や、壁角（４１）の内側又は外側に設置する、或いは糸、紐などの掛止帯（５０）により、掛けロッド（５１）（５２）に固定することができるので、使用の利便性を高めることができる。
【産業上の利用可能性】
【００１７】
本考案は上記の構成を有するので、ベースに複数の孔を有する平面部、内斜面及び外斜面が設けられ、ネジなどの固定部材により、一般の壁面や、壁角の内側又は外側に設置する、或いは糸、紐などの掛止帯により、掛けロッドにセンサーライトを固定することができ、使用の利便性を高める。
【図面の簡単な説明】
【００１８】
【図１】本考案に係るセンサーライトのベースと本体を示す斜視図である。
【図２】本考案に係るセンサーライトのベースと本体を示す分解斜視図である。
【図３】本考案に係るセンサーライトのベースと本体の組合せる状態を示す斜視図である。
【図４】本考案に係るセンサーライトのベースを壁面に掛止する状態を示す一部断面図である。
【図５】本考案に係るセンサーライトのベースを二つ壁面の間に掛止する状態を示す一部断面図である。
【図６】本考案に係るセンサーライトのベースを壁角に掛止する状態を示す一部断面図である。
【図７】本考案に係るセンサーライトのベースを縦向の掛けロッドに掛止する状態を示す一部断面図である。
【図８】本考案に係るセンサーライトのベースを横向の掛けロッドに掛止する状態を示す一部断面図である。
【符号の説明】
【００１９】
１０        ベース
１１        上部
１２        下部
１３        平面部
１４        貫通孔
１５        外斜面
１６        貫通孔
１７        内斜面
１８        孔
１９        切欠部
２０        掛止孔
２１        掛止孔
２２        掛止孔
２３        掛止孔
３０        固定部材
４０        壁面
４１        壁角
５０        掛止帯
５１        掛けロッド
５２        掛けロッド
６０        固定部材
７０        本体
７１        センサーヘッド
７２        照明部
【図１】
0003103448.tif 000003
【図２】
0003103448.tif 000004
【図３】
0003103448.tif 000005
【図４】
0003103448.tif 000006
【図５】
0003103448.tif 000007
【図６】
0003103448.tif 000008
【図７】
0003103448.tif 000009
【図８】
0003103448.tif 000010